(57)【要約】  車両用のバックミラーアセンブリは、電気光学素子を含む。第１基材が、第１表面及び第２表面を含む。第２基材が、第３表面及び第４表面を含む。電気光学媒体が、第２表面と第３表面との間に配置される。赤外線（ＩＲ）光源が、電気光学素子を通して放射線を伝送するように構成される。画像センサが、第４表面の近位にあり、電気光学素子を介して物体の画像データを捕捉するよう構成される。画像センサは、少なくとも１人の車両の搭乗者を識別するよう構成される。
2019531224.tif 000002
【特許請求の範囲】
【請求項１】
車両用のバックミラーアセンブリであって、
第１表面及び第２表面を含む第１基材、第３表面及び第４表面を含む第２基材、並びに、前記第２表面と前記第３表面との間に配置される電気光学媒体、を含む電気光学素子と、
前記電気光学素子を通して放射線を伝送するように構成された赤外線（ＩＲ）光源と、
前記第４表面の近位にあり、前記電気光学素子を介して物体の画像データを捕捉するように構成された画像センサと、
を備え、
前記画像センサは、前記車両の少なくとも１人の搭乗者を識別するように構成されている
ことを特徴とするバックミラーアセンブリ。
【請求項２】
前記電気光学素子に隣接して配置されたディスプレイ
を更に備えたことを特徴とする請求項１に記載のバックミラーアセンブリ。
【請求項３】
前記ディスプレイは、前記第４表面の近位に配置されている
ことを特徴とする請求項２に記載のバックミラーアセンブリ。
【請求項４】
前記ディスプレイは、前記画像センサによって捕捉された前記画像データを呈示する
ことを特徴とする請求項２または３に記載のバックミラーアセンブリ。
【請求項５】
前記物体は、前記車両の搭乗者の目に対応する
ことを特徴とする請求項１乃至４のいずれかに記載のバックミラーアセンブリ。
【請求項６】
前記ＩＲ光源は、７８０ナノメートルを超える波長を有する赤外線を放射する
ことを特徴とする請求項１乃至５のいずれかに記載のバックミラーアセンブリ。
【請求項７】
前記ＩＲ光源は、複数の波長の赤外線を放射する
ことを特徴とする請求項１乃至６のいずれかに記載のバックミラーアセンブリ。
【請求項８】
前記ＩＲ光源は、少なくとも１つの発光ダイオードを含む
ことを特徴とする請求項１乃至７のいずれかに記載のバックミラーアセンブリ。
【請求項９】
車両用のバックミラーアセンブリであって、
第１表面及び第２表面を含む第１基材、第３表面及び第４表面を含む第２基材、並びに、前記第２表面と前記第３表面との間に配置される電気光学媒体、を含む電気光学素子と、
環境光レベルを検出するように構成された環境光センサと、
車両搭乗者に放射線を伝送するように構成された赤外線（ＩＲ）光源と、
前記車両搭乗者の識別特徴の画像データを捕捉するように構成された画像センサと、
を備え、
前記ＩＲ光源放射線透過率が、検出される前記環境光レベルに依存して調整され、
前記画像センサは、前記車両の少なくとも１人の搭乗者を識別するように構成されている
ことを特徴とするバックミラーアセンブリ。
【請求項１０】
前記ＩＲ光源と動作可能に結合され、且つ、前記車両の通信バスと動作可能に結合されたマイクロコントローラ
を更に備えたことを特徴とする請求項９に記載のバックミラーアセンブリ。
【請求項１１】
前記電気光学素子に隣接して配置されたディスプレイ
を更に備えたことを特徴とする請求項９または１０に記載のバックミラーアセンブリ。
【請求項１２】
前記ディスプレイは、前記第４表面の近位に配置されている
ことを特徴とする請求項１１に記載のバックミラーアセンブリ。
【請求項１３】
前記ディスプレイは、前記画像センサによって捕捉された前記画像データを呈示する
ことを特徴とする請求項１１または１２に記載のバックミラーアセンブリ。
【請求項１４】
前記補足された画像データは、前記車両の搭乗者の目に対応する
ことを特徴とする請求項９乃至１３のいずれかに記載のバックミラーアセンブリ。
【請求項１５】
前記ＩＲ光源は、７８０ナノメートルを超える波長を有する赤外線を放射する
ことを特徴とする請求項９乃至１４のいずれかに記載のバックミラーアセンブリ。
【請求項１６】
車両用のバックミラーアセンブリであって、
第１表面及び第２表面を含む第１基材、第３表面及び第４表面を含む第２基材、並びに、前記第２表面と前記第３表面との間に配置される電気光学媒体、を含む電気光学素子と、
前記電気光学素子を通して放射線を伝送するように構成された赤外線（ＩＲ）光源と、
前記電気光学素子の後方に配置されたディスプレイと、
前記電気光学素子を介して画像データを捕捉するように構成された画像センサと、
を備え、
前記画像センサは、車両搭乗者の所定の顔面特徴に基づいて運転者の注意力を監視するように構成されている
ことを特徴とするバックミラーアセンブリ。
【請求項１７】
前記ディスプレイは、前記第４表面の近位に配置されている
ことを特徴とする請求項１６に記載のバックミラーアセンブリ。
【請求項１８】
前記ディスプレイは、前記画像センサによって捕捉された前記画像データを呈示する
ことを特徴とする請求項１６または１７に記載のバックミラーアセンブリ。
【請求項１９】
前記補足された画像データは、前記車両の搭乗者の目に対応する
ことを特徴とする請求項１６乃至１８のいずれかに記載のバックミラーアセンブリ。
【請求項２０】
前記ＩＲ光源は、７８０ナノメートルを超える波長を有する赤外線を放射する
ことを特徴とする請求項１６乃至１９のいずれかに記載のバックミラーアセンブリ。
【発明の詳細な説明】
【技術分野】
【０００１】
本開示は、概して、車両用バックミラーアセンブリに関し、特には、車両のための搭乗者検出を備えたバックミラーアセンブリに関する。
【発明の概要】
【０００２】
本開示の一態様によれば、車両用のバックミラーアセンブリは、電気光学素子を含む。第１基材が、第１表面及び第２表面を含む。第２基材が、第３表面及び第４表面を含む。電気光学媒体が、第２表面と第３表面との間に配置される。赤外線（ＩＲ）光源が、電気光学素子を通して放射線を伝送するように構成される。画像センサが、第４表面の近位にあり、電気光学素子を介して物体の画像データを捕捉するよう構成される。画像センサは、少なくとも１人の車両の搭乗者を識別するよう構成される。
【０００３】
本開示の他の態様によれば、車両用のバックミラーアセンブリは、電気光学素子を含む。第１基材が、第１表面及び第２表面を含む。第２基材が、第３表面及び第４表面を含む。電気光学媒体が、第２表面と第３表面との間に配置される。環境光センサが、環境光レベルを検出するように構成される。赤外線（ＩＲ）光源が、車両搭乗者に放射線を伝送するように構成される。ＩＲ光源放射線透過率が、検出された環境光レベルに応じて調節される。画像センサが、車両搭乗者の識別特徴の画像データを捕捉するように構成される。画像センサは、少なくとも１人の車両の搭乗者を識別するよう構成される。
【０００４】
本開示のさらに他の態様によれば、車両用のバックミラーアセンブリは、電気光学素子を含む。第１基材が、第１表面及び第２表面を含む。第２基材が、第３表面及び第４表面を含む。電気光学媒体が、第２表面と第３表面との間に配置される。赤外線（ＩＲ）光源が、電気光学素子を通して放射線を伝送するように構成される。ディスプレイが、電気光学素子の後方に配置される。画像センサが、電気光学素子を介して画像データを捕捉するよう構成される。画像センサは、車両搭乗者の所定の顔面特徴に基づいて、運転者の注意力を監視するように構成される。
【０００５】
本開示の、これら及び他の特徴、利点、及び目的は、以下の明細書、特許請求の範囲、及び添付図面を参照して、当業者によって更に理解及び認識されることになる。
【図面の簡単な説明】
【０００６】
図面において、
【０００７】
【図１】図１は、画像センサを備えた、本開示によるバックミラーアセンブリの前方斜視図である。
【０００８】
【図２】図２は、本開示の電気光学アセンブリの断面概略図である。
【０００９】
【図３】図３は、本開示の制御ブロック図である。
【発明を実施するための形態】
【００１０】
本発明の例証される実施形態は、主に、バックミラーアセンブリに関連する方法の工程及び装置の構成要素の組み合わせに属する。したがって、本装置の構成要素及び方法の工程は、該当する場合、本明細書の説明の利益を得る当業者には容易に明らかとなろう詳細によって本開示を不明瞭にしないように、本開示の実施形態の理解に関係する特定の詳細のみを示す図面において、慣習的記号によって表されている。さらに、説明及び図面において、同様の数字は、同様の要素を表す。
【００１１】
本明細書における記述の目的のために、用語「上部の」、「下部の」、「右の」、「左の」、「後方の」、「前方の」、「垂直の」、「水平の」、及びそれらについての派生語は、図１において関連付けられた開示に関するものとする。別様に述べられない限り、用語「前方の」は、装置を見ることを意図される者により近い装置の表面を指すものであり、用語「後方の」は、装置を見ることを意図された者からより離れた装置の表面を指すものである。しかしながら、それとは逆に明確に特定されたもの以外は、本発明はさまざまな代わりの配向をとり得る、と理解されるべきである。添付図面に図示され、かつ以下の明細書に記述された特定のデバイス及びプロセスは、添付された特許請求の範囲において定義された発明概念の単なる例示的な実施形態であることも理解されるべきである。したがって、本明細書に開示された実施形態に関する特定の寸法及び他の物理的特性は、特許請求の範囲が明示的に別段に述べない限り、限定するものと見なされるべきではない。
【００１２】
用語「ｉｎｃｌｕｄｉｎｇ（含む）」、「ｃｏｍｐｒｉｓｅｓ（備える）」、「ｃｏｍｐｒｉｓｉｎｇ（備える）」、または任意の他の変形は、要素のリストを備えるプロセス、方法、物品、または装置が、それらの要素のみを含むのではなく、このようなプロセス、方法、物品、または装置に明示的に列挙されもせず、固有でもない他の要素を含んでもよいように、非排他的包括にわたるように意図される。「ｃｏｍｐｒｉｓｅｓ  ａ．．．」によって始められる要素は、さらなる制約を受けずに、その要素を備えるプロセス、方法、物品、または装置において、追加の同一要素の存在を妨げない。
【００１３】
ここで図１乃至図３を参照すると、参照符号１０は、全体として、電気光学素子１２を含む車両用のバックミラーアセンブリを示す。第１基材１４は、第１表面１６及び第２表面１８を含む。第２基材２０は、第３表面２２及び第４表面２４を含む。電気光学媒体２６が、第２表面１８と第３表面２２との間に配置される。赤外線（ＩＲ）光源であり得る光源３０が、電気光学素子１２を通して放射線を伝送するように構成されている。画像センサ３２が、第４表面２４の近位にあり、電気光学素子１２を介して物体の画像データ２７を捕捉するように構成されている。画像センサ３２は、少なくとも１人の車両の搭乗者を識別するように構成されている。
【００１４】
図１及び図２を参照すると、図示の実施形態では、画像センサ３２は、車両の内部と動作可能に結合されるバックミラーアセンブリ１０内での使用のために概して構成されている。バックミラーアセンブリ１０は、当該バックミラーアセンブリ１０内に配置されたミラーを介して、または車両の後方領域から画像データを捕捉する後方撮像装置と通信するディスプレイを介して、車両後方の視界を提供し得る。画像センサ３２が図示されているが、指紋、顔パターン、耳位置認識、網膜及び／または虹彩パターン認識、声紋など、ユーザの生体認証特徴に対応する他の生体認識機能もバックミラーアセンブリ１０に実装され得ることが理解されよう。
【００１５】
図１に示すように、生体認証機能は、概して、ユーザの網膜または虹彩、もしくはそれら両方、の識別を目的とする。この場合、画像センサ３２が関連する画像データ２７を収集できるように、目の照射のため、ユーザの目の網膜及び／または虹彩の赤外線照射の形態での補完的照射が必要となる場合がある。当該照射は、９００ｎｍより大きい波長を有する赤外線を放射するＩＲ光源３０によって達成される。しかしながら、一般的には、９００ｎｍ未満であり得る他の波長も利用され得ることが想定される。例えば、８１０ｎｍ、８５０ｎｍ、及び９４０ｎｍの波長は、赤外線撮像装置の一般的に利用可能な波長を代表するものである。この場合、電磁スペクトルの当該部分へのヒトの目の反応レベルが低いため、９４０ｎｍが望ましい。従って、この波長での赤外線波は典型的には目に見えない。ヒトの視覚の一般的に許容される限界に近い波長である７８０ｎｍは、電力供給されたときに目に見える赤色光を生じさせることが多い。一部の例では、運転者の気を散らすことを最小限にするために、赤外線エミッタがヒトの目によって容易に検出できないことが望ましい場合があり、これによって全体的な安全性が改善される。さらに、ＩＲ光源３０は、複数のＩＲ波長のエミッタを含み得る。例えば、運転者モニタリングは９４０ｎｍの照射を使用し得て、虹彩スキャンは８１０ｎｍを使用し得る。
【００１６】
一部の実装では、バックミラーアセンブリ１０は、車両ユーザの１または複数の網膜及び／または虹彩を照射するためのＩＲ光源３０に加えて、複数の光源を含み得る。より具体的には、可視スペクトル（３９０〜７００ｎｍ）の光を放射する光源が、ユーザの目が画像センサ３２の方に向けられるようにユーザのための焦点を提供するように設計されるバックミラーアセンブリ１０に含められ得ることが意図される。この場合、光出力は、ユーザの視覚を妨げないように最小限となる。
【００１７】
バックミラーアセンブリ１０内にアイスキャン識別機能を提供するため、画像センサ３２は、電気光学素子１２の第４表面２４の近位に配置され得る。画像センサ３２は、例えば、デジタル電荷結合デバイス（ＤＣＣＤ）または相補型金属酸化膜半導体（ＣＭＯＳ）アクティブ画素センサに相当し得る。しかしながら、他のセンサもまた、関連する画像データ２７を捕捉するために使用され得る。さらに、画像センサ３２は、固定焦点距離支持レンズまたは可変焦点距離レンズを使用するように構成され得る。さらに、画像センサ３２は、当該画像センサ３２によって捕捉される視界が、バックミラーアセンブリ１０内の画像センサ３２、または車両内のバックミラーアセンブリ１０、の位置変動を明らかにするために、縮小（ｒｅｄｕｃｅ）（デジタルズーム）または調和（ａｒｔｉｃｕｌａｔｅ）（パン、チルト、ロール）され得るように、高解像度能力を有し得る。画像センサ３２は、当該画像センサ３２及び光源３０が同時に作動するように、１または複数の光源３０と通信し得ることも、概して意図される。前述のように、光源３０は、１または複数の赤外線エミッタに対応し得て、また、可視スペクトルの光エミッタに対応し得る。この構成では、画像センサ３２は、画像センサ３２がユーザを識別するためにマイクロコントローラによって使用される関連画像データ２７を捕捉し得るように、虹彩及び／または網膜を照射するための光源３０に対応する１または複数の赤外線エミッタを選択的に作動するように、構成され得る。ユーザがシステムによって認識されるか、またはシステムによって認証された場合に、車両は起動され得て、またはイグニッションが起動され得る。顔面特徴はまた、ユーザの顔に関連する画像データを断続的に捕捉することによって監視され得る。次に、画像データを分析して、ユーザの眠気または他の行動を検出し得る。
【００１８】
図１を再び参照すると、光源３０は、矢印３８の方向にユーザの方へ向けられた複数の発光ダイオードを含む、単一のＩＲエミッタまたは複数のＩＲエミッタに対応しうる。発光ダイオードは、電気光学素子１２に隣接して、または電気光学素子１２の後方に、マトリクスとしてグループ化され得る。光源３０は、電気光学素子１２に隣接したまたはその後方の様々な位置に配置され得ることが意図されている。図示した実施形態では、光源３０は、電気光学素子１２の第１及び第２の側面４０、４２に隣接し、または電気光学素子１２の後方にある。特に、光源３０の様々な発光ダイオードは、７８０ｎｍよりも大きい波長、または９００ｎｍよりも大きい波長（可視スペクトル外）、を提供するように構成され得る。光源３０が電気光学素子１２の後方に配置される場合、電気光学素子１２は、光が当該電気光学素子１２を通過し得るように構成される。一部の例では、図２に示すように、これは、電気光学素子１２を通して高レベルの透過率を有することを含み得る。半透過型誘電体コーティングを含む層４４が、電気光学素子１２の第３表面２２または第４表面２４上に配置され得ることが、概して意図される。電気光学素子１２は、電気光学素子１２の第３表面２２上に配置された金属ベースの半透過型コーティングを含む層４６を含み得ることも、意図される。
【００１９】
図２は、電気光学素子１２の一実施形態の断面図である。これは概略図であって正確な縮尺ではないことが理解されるべきである。第１基材１４は、透明であって、使用が意図される環境で一般的に見られる、変化する温度及び気圧などの条件において動作するのに十分な強度を有する、任意の材料であり得る。第１基材１４は、電磁スペクトルの可視領域で概して透明な、任意のタイプのホウケイ酸ガラス、ソーダ石灰ガラス、浮動ガラス、または例えばＴｉｃｏｍａ，Ｓｕｍｍｉｔ  Ｎ．Ｊ．から入手可能なＴｏｐａｚ（商標）などのポリマーまたはプラスチックなどの任意の他の材料、を含み得る。さらに、第１基材１４は、０．５ミリメートル（ｍｍ）〜約１２．７ｍｍの範囲の厚さのガラスシートから構成され得る。第２基材２０は、概して前述の動作条件を満たすべきであり、電気光学素子１２がミラーである場合を除き、電気光学素子１２は透明である必要はなく、したがってポリマー、金属、ガラス、セラミック、を含み得て、望ましくは０．５ｍｍ〜約１２．７ｍｍの範囲の厚さを有するガラスシートである。第１基材１４及び第２基材２０がガラスシートを含む場合、当該ガラスは、導電性材料の層でコーティングされる前またはその後に、焼き入れ（ｔｅｍｐｅｒ）され得る。
【００２０】
第３表面２２のコーティング及び第２表面１８上のコーティングは、その内部に電気光学媒体２６が配置されるくぼみを画定するように、封止部材４８によって外周部に近接して密封可能なように施される。第３表面２２上の層４６は、デバイスの最終使用によって変わり得る。装置がエレクトロクロミックミラーである場合、コーティングは透明導電性コーティングであり得、または、コーティングは反射材料または半透過材料の層であり得る。第３表面２２のリフレクタの典型的なコーティングは、クロム、ロジウム、銀、銀合金、及び、それらの組み合わせ、である。封止部材４８は、第２表面１８上のコーティングを第３表面２２上のコーティングに接着接合させ、電気光学媒体２６がくぼみから漏れないように周辺部を封止することができる、任意の材料であり得る。随意に、第３表面２２上の層は、封止部材４８が配置される部分の上で、取り外され得る。
【００２１】
図３を参照して、バックミラーアセンブリ１０と共に用いられる識別システム６０のブロック図が示される。マイクロコントローラ６２は、画像センサ３２（カメラ６４の形態）と通信しているのが示され、また、車両のビデオプロセッサ６６と通信してもよい。マイクロコントローラ６２はまた、補完的照射（ＩＲ光源３０）に電力供給するパルス幅変調（ＰＷＭ）電源として作用し得る。もっとも、別の例では、ＰＷＭ電源はＩＲ光源３０に電力供給するために使用されないで、代わりに直流が利用され得て、オン状態とオフ状態との間で動作可能である。通信バス６８は、様々な車両の状態を識別するマイクロコントローラ６２に信号を送達し当該マイクロプロセッサ６２から信号を受信するよう構成され得る。例えば、通信バス６８は、車両の運転選択と、点火状態と、ドアの開状態または半開き状態と、バックミラーアセンブリ１０の遠隔起動と、をマイクロコントローラ６２に通信するよう構成され得る。こうした情報及び制御信号は、マイクロコントローラ６２によって利用され得て、バックミラーアセンブリ１０及び／または電気光学要素１２の様々な状態及び／または制御スキームを起動または調整することができる。
【００２２】
マイクロコントローラ６２は、通信バス６８から信号を受信してバックミラーアセンブリ１０を制御するように構成される１つまたは複数の回路を有するプロセッサを含み得る。ビデオプロセッサ６６は、バックミラーアセンブリ１０または画像センサ３２の動作を制御する命令を格納するよう構成されるメモリと通信してもよい。例えば、マイクロコントローラ６２は、車両のユーザを識別するために当該マイクロコントローラ６２によって利用される１または複数の特徴またはプロファイルを格納するよう構成されてもよい。この形態では、マイクロコントローラ６２は、バックミラーアセンブリ１０と運転情報及び識別情報を通信して、車両の運転者を識別し得る。さらに、運転者の識別情報に基づいて、マイクロコントローラ６２は、車両の追加のシステムを制御する、及び／または、車両の追加のシステムと通信するよう構成されてもよい。マイクロコントローラ６２はまた、電力接続及び接地を含む。
【００２３】
マイクロコントローラ６２はさらに、環境光センサ７０と通信可能である。環境光センサ７０は概して、例えば、車両近傍の環境光の輝度レベルまたは強度レベルなどの環境光の状態を通信する。環境光のレベルに応答して、マイクロコントローラ６２は、ディスプレイからの光強度出力を調整するよう構成されてもよい。この構成では、マイクロコントローラ６２のオペレータは、画像センサ３２及び／または後方カメラにより捕捉される画像データ２７を提供するディスプレイの輝度を調整することができる。さらに、環境光センサ７０は、光センサ３０の作動を制御するために使用され得る。画像センサ３２が画像データ２７を捕捉するために十分な環境光がある場合、光源３０の起動は不要となり得る。別の例では、光源３０は、目、特に目の網膜または虹彩、に関連する画像データ２７がユーザから捕捉され得るように、ユーザ用の焦点として単純に作用し得る。画像センサ３２は、環境光レベルを制御する入力として使用され得ることも意図される。
【００２４】
グレアセンサ８０がまた、マイクロコントローラ６２と通信し得る。グレアセンサ８０は、後続車両のヘッドライトの光を検出するように構成され、次いでその情報をマイクロコントローラ６２に中継する。マイクロコントローラ６２は次いで、反射された画像をユーザに対して、またはディスプレイ画像をユーザ対して、暗くすることができる。さらに、熱センサ８２がまた、マイクロコントローラ６２と通信し得る。熱センサ８２は、バックミラーアセンブリ１０の温度に関連する閾値を監視するように動作可能であり得る。赤外線エミッタが高すぎる温度となる場合、赤外線エミッタ（光源３０）への電力が弱められ、熱発生を減少させ、それによって赤外線エミッタ及びバックミラーアセンブリ１０の他の構成要素を保護することができる。
【００２５】
例示的な実施形態では、昼間の使用対夜間の使用のための電気光学素子１２の動作条件を制御するように一般的に構成される制御回路が、画像データを収集する時、画像センサ３２と共に使用するための補完的照射を制御するために使用され得る。例えば、前方を向いた環境光センサ７０は、環境光状態に関して照射信号をマイクロコントローラ６２に送信する。情報は、運転環境の照明条件が閾値レベルを超えたときを決定するために使用され、これは、昼間モードから夜間モード、または夜間モードから昼間モードのスイッチを構成する。同時に、補完的照射源、この場合には前述したように赤外線エミッタを含み得る光源３０、が有効化され得る。次に、赤外線エミッタによって提供される補完的照射を使用して、画像データを収集または捕捉する画像センサ３２を補助し得る。さらに、補完的照射は、運転環境の照明条件が変化し続ける（例えば、夕暮れまたは明け方の間）とき、強度が変化し得る。
【００２６】
別の例示的な実施形態では、光源３０によって提供される補完的照射をより良く制御するための取り組みとして、光源３０の使用が開始されるレベルは、昼間モードから夜間モード及び夜間モードから昼間モードのスイッチポイントとは異なるレベルであり得る。一般的に、窓の多い少ない、異なる色の内装など、異なる車両で概して発生する環境光の違いのため、補完的照射の所望の開始が各車両プラットフォーム上で異なり得ることが意図される。この初期化ポイントは、特定の車両プラットフォームに基づく所定の設定に基づいて選択され得ることが理解されよう。
【００２７】
マイクロコントローラ６２はさらに、バックミラーアセンブリ１０と後方カメラのうちの少なくとも一方を制御するよう構成される１つまたは複数の入力を受信するよう構成されるインターフェースと通信してもよい。実施形態によっては、当該インターフェースは、車両の１つまたは複数の装置と組み合わされてもよい。例えば、インターフェースは、ゲージクラスタ、Ａ／Ｖシステム、インフォテインメントシステム、ディスプレイコンソール、及び／または、一般に自動車両で利用可能な様々な入力／出力装置（例えば、ステアリングスイッチ、ステアリングホイール制御など）の一部を形成してもよい。このように、本開示は、車両のバックミラーアセンブリ１０を実現する様々な制御スキームを提供する。同様に、マイクロコントローラ６２は、後方カメラまたは任意の他の形態の車両カメラシステムと通信してもよい。マイクロコントローラ６２は、車両の後方向き視野に対応する後方カメラから画像データ２７を受信してもよい。この形態では、表示装置９０が、バックミラーアセンブリ１０の当該表示装置が識別処理用として利用されていない場合に表示される後方向き視野を提供してもよい。マイクロコントローラ６２はさらに、ゲージクラスタ、音響／ビデオ（Ａ／Ｖ）システム、インフォテインメントシステム、メディアセンタ、車両コンピューティングシステム、及び／または車両の様々な他の装置もしくはシステム、のうちの１つ以上と通信してもよい。実施形態によっては、マイクロコントローラ６２は、表示装置９０上に画像センサ３２及び後方カメラのうちの少なくとも１つからの画像データ２７を表示してもよい。
【００２８】
マイクロコントローラ６２は、車両の運転者の識別に基づいて、車両用の様々な設定または設定の制限を許可するよう構成されてもよい。許可は、調速機、有料道路の支払承認、識別された運転者に対する使用及び時間のログ、などに対応してもよい。実施形態によっては、バックミラーアセンブリ１０はまた、例えば、乗客の数、車両の最高速度、最大加速率などの、使用と時間に対応する情報を文書に記録するよう構成されてもよい。実施形態によっては、マイクロコントローラ６２はさらに、車両の運転に領域的制約も設けることができる全地球測位システム（ＧＰＳ）と通信してもよい。
【００２９】
実施形態によっては、マイクロコントローラ６２は、車両の運転者の識別情報を利用して、車両の管理者に更新を報告してもよい。例えば、実施形態によっては、マイクロコントローラ６２はさらに、移動通信システムと通信してもよい。当該移動通信システムは、様々な移動通信プロトコルを介して、通信するよう構成されてもよい。無線通信プロトコルは、ＩＥＥＥ（米国電気電子学会）８０２．１１（例えば、ＷｉＦｉTM）、ブルートゥース（登録商標）、高度移動電話サービス（ＡＭＰＳ）、Ｄ−ＡＭＰＳ（ｄｉｇｉｔａｌ  ＡＭＰＳ）、汎欧州デジタル移動電話方式（ＧＳＭ）（登録商標）、符号分割多元接続（ＣＤＭＡ）、ロングタームエボリューション（ＬＴＥまたは４Ｇ  ＬＴＥ）、ローカルマルチポイント配信システム（ＬＭＤＳ）、マルチチャネルマルチポイント配信システム（ＭＭＤＳ）、ＲＦＩＤ、及び／またはその変形、を含む通信規格に従って動作することができるが、それに限定されない。この形態では、マイクロコントローラ６２は、１つまたは複数の所定の出来事に応答して、車両の管理者に警報またはメッセージを送信するよう構成されてもよい。当該警報またはメッセージは、スマートデバイス上で動作するアプリケーションを介するテキストメッセージ、データメッセージ、電子メール、警報などに対応することができる。加えて、マイクロコントローラ６２は、対応するプロトコルを有する一方向または双方向無線通信チャネルを有する専用の短距離通信（ＤＳＲＣ）を利用し得る。
【００３０】
所定の出来事は、車両の運転者の同一性に基づいて、マイクロコントローラ６２によって識別可能な幅広い種類の出来事に対応してもよい。例えば、出来事は、地理的境界線を横断する車両、車両の運転を識別する点火イベント、使用時間が制限されている間の運転（例えば、真夜中から朝５時の間の時間）、制限を超えて車両にいる乗客数の識別、などに対応してもよい。この形態では、マイクロコントローラ６２は、画像センサ３２を介して制限された車両のユーザを識別し、管理者に通知してもよい。
【００３１】
実施形態によっては、マイクロコントローラ６２はまた、車両の運転者が識別されていないと報告する場合がある。これは、故障、または、バックミラーアセンブリ１０によって識別されることを避けるため故意に企てられたこと、による可能性がある。マイクロコントローラ６２は、光源３０に信号を送信し得て（特に可視スペクトルの光を放射する場合）、または、虹彩スキャンが完了した時にディスプレイ９０に信号を送信し得て、ミスアラインメントがある時や（車両を運転している場合）ユーザの視野を損うことなくスキャンを行うのに十分近くにユーザがいると肯定的な示唆がある時には、ユーザにフィードバックを提供し得る。ミスアラインメントがある場合、バックミラーアセンブリ１０の調整は、モータ制御調整を介して達成され得る。モータは、画像センサ３２をユーザの目と適切に整列させるために、マイクロコントローラ６２と通信し得る。システムは、ユーザに画像センサ３２と整列することを要求する前に、関連する画像データを捕捉するためのあらゆる努力を行うように構成され得る。識別情報の無い車両の運転に応答して、車両の管理者は、無許可の車両の活動、またはそうでなければ好ましくない車両の活動、を報告する移動通信システムから提出されたメッセージを介して通知されてもよい。この形態では、車両の管理者は、車両の制限された運転者または車両の確認されていない運転者に対応する、マイクロコントローラ６２によって識別可能な任意の形態の制限された活動を通知されてもよい。
【００３２】
電気光学素子１２は、エレクトロクロミック素子またはプリズム等の素子であってもよい。エレクトロクロミック素子の１つの非限定例は、エレクトロクロミック媒体であり、当該エレクトロクロミック媒体は、少なくとも１つの溶媒と、少なくとも１種類の陽極材料と、少なくとも１種類の陰極材料と、を含む。典型的には、アノード材料とカソード材料の両方が電気活性であり、それらの少なくとも１つはエレクトロクロミックである。その通常の意味にかかわらず、用語「電気活性」は、本明細書では、特定の電位差に曝されたときにその酸化状態が変化する材料として定義されることが理解される。更に、「エレクトロクロミック」という用語は、その通常の意味にかかわらず、特定の電位差に曝されたときに１つまたは複数の波長でその消光係数に変化を示す材料として定義されることが理解されよう。本明細書に記載のエレクトロクロミック成分は、電流が当該材料に加えられると色または不透明度が第１相から第２相に変化するように、色または不透明度が電流によって影響を受ける材料を含む。エレクトロクロミック成分は、単層、単相成分、多層成分、または多相成分であり得、「Ｅｌｅｃｔｒｏｃｈｒｏｍｉｃ  Ｌａｙｅｒ  Ａｎｄ  Ｄｅｖｉｃｅｓ  Ｃｏｍｐｒｉｓｉｎｇ  Ｓａｍｅ」と題する米国特許第５，９２８，５７２号、「Ｅｌｅｃｔｒｏｃｈｒｏｍｉｃ  Ｃｏｍｐｏｕｎｄｓ」と題する米国特許第５，９９８，６１７号、「Ｅｌｅｃｔｒｏｃｈｒｏｍｉｃ  Ｍｅｄｉｕｍ  Ｃａｐａｂｌｅ  Ｏｆ  Ｐｒｏｄｕｃｉｎｇ  Ａ  Ｐｒｅｓｅｌｅｃｔｅｄ  Ｃｏｌｏｒ」と題する米国特許第６，０２０，９８７号、「Ｅｌｅｃｔｒｏｃｈｒｏｍｉｃ  Ｃｏｍｐｏｕｎｄｓ」と題する米国特許第６，０３７，４７１号、「Ｅｌｅｃｔｒｏｃｈｒｏｍｉｃ  Ｍｅｄｉａ  Ｆｏｒ  Ｐｒｏｄｕｃｉｎｇ  Ａ  Ｐｒｅ−ｓｅｌｅｃｔｅｄ  Ｃｏｌｏｒ」と題する米国特許第６，１４１，１３７号、「Ｅｌｅｃｔｒｏｃｈｒｏｍｉｃ  Ｓｙｓｔｅｍ」と題する米国特許第６，２４１，９１６号、「Ｎｅａｒ  Ｉｎｆｒａｒｅｄ−Ａｂｓｏｒｂｉｎｇ  Ｅｌｅｃｔｒｏｃｈｒｏｍｉｃ  Ｃｏｍｐｏｕｎｄｓ  Ａｎｄ  Ｄｅｖｉｃｅｓ  Ｃｏｍｐｒｉｓｉｎｇ  Ｓａｍｅ，」と題する米国特許第６，１９３，９１２号、「Ｃｏｕｐｌｅｄ  Ｅｌｅｃｔｒｏｃｈｒｏｍｉｃ  Ｃｏｍｐｏｕｎｄｓ  Ｗｉｔｈ  Ｐｈｏｔｏｓｔａｂｌｅ  Ｄｉｃａｔｉｏｎ  Ｏｘｉｄａｔｉｏｎ  Ｓｔａｔｅｓ」と題する米国特許第６，２４９，３６９号、そして「Ｅｌｅｃｔｒｏｃｈｒｏｍｉｃ  Ｍｅｄｉａ  Ｗｉｔｈ  Ｃｏｎｃｅｎｔｒａｔｉｏｎ  Ｅｎｈａｎｃｅｄ  Ｓｔａｂｉｌｉｔｙ，  Ｐｒｏｃｅｓｓ  Ｆｏｒ  Ｔｈｅ  Ｐｒｅｐａｒａｔｉｏｎ  Ｔｈｅｒｅｏｆ  ａｎｄ  Ｕｓｅ  Ｉｎ  Ｅｌｅｃｔｒｏｃｈｒｏｍｉｃ  Ｄｅｖｉｃｅｓ」と題する米国特許第６，１３７，５２０号、「Ｅｌｅｃｔｒｏｃｈｒｏｍｉｃ  Ｄｅｖｉｃｅ」と題する米国特許第６，５１９，０７２号、そして「Ｅｌｅｃｔｒｏｃｈｒｏｍｉｃ  Ｐｏｌｙｍｅｒｉｃ  Ｓｏｌｉｄ  Ｆｉｌｍｓ，  Ｍａｎｕｆａｃｔｕｒｉｎｇ  Ｅｌｅｃｔｒｏｃｈｒｏｍｉｃ  Ｄｅｖｉｃｅｓ  Ｕｓｉｎｇ  Ｓｕｃｈ  Ｓｏｌｉｄ  Ｆｉｌｍｓ，  Ａｎｄ  Ｐｒｏｃｅｓｓｅｓ  Ｆｏｒ  Ｍａｋｉｎｇ  Ｓｕｃｈ  Ｓ���ｌｉｄ  Ｆｉｌｍｓ  Ａｎｄ  Ｄｅｖｉｃｅｓ」と題する国際特許出願ＰＣＴ／ＵＳ９８／０５５７０号、「Ｅｌｅｃｔｒｏｃｈｒｏｍｉｃ  Ｐｏｌｙｍｅｒ  Ｓｙｓｔｅｍ」と題する国際特許出願ＰＣＴ／ＥＰ９８／０３８５２号、及び「Ｅｌｅｃｔｒｏｃｈｒｏｍｉｃ  Ｐｏｌｙｍｅｒｉｃ  Ｓｏｌｉｄ  Ｆｉｌｍｓ，  Ｍａｎｕｆａｃｔｕｒｉｎｇ  Ｅｌｅｃｔｒｏｃｈｒｏｍｉｃ  Ｄｅｖｉｃｅｓ  Ｕｓｉｎｇ  Ｓｕｃｈ  Ｓｏｌｉｄ  Ｆｉｌｍｓ，  Ａｎｄ  Ｐｒｏｃｅｓｓｅｓ  Ｆｏｒ  Ｍａｋｉｎｇ  Ｓｕｃｈ  Ｓｏｌｉｄ  Ｆｉｌｍｓ  Ａｎｄ  Ｄｅｖｉｃｅｓ」と題する国際特許出願ＰＣＴ／ＵＳ９８／０５５７０号、に記載され、それらのすべては、当該参照によりその全体が本明細書に組み込まれる。電気光学素子１２はまた、部分的に反射し部分的に透過する特性を有する任意の他の要素であってもよい。電気光学素子１２に電流を供給するために、素子の対向する側に電気素子が設けられ、それらの間に電位が生成される。Ｊ型クリップが、各電気素子と電気的に係合し、素子線が、Ｊ型クリップからプライマリ印刷回路基板（ＰＣＢ）に延びる。また、この概念は、主要なリフレクタ層の反射偏光子を含む、電気光学素子１２で実装され得ることも、概して意図される。さらに、昼光時の追加の色カメラ（画像センサ）活動を支持するために、アクティブ電子光学カラーフィルタが電気光学素子１２と共に利用され得る。
【００３３】
本開示は、米国特許第９，１７４，５７７号、米国特許第８，８１４，３７３号、米国特許第８，２０１，８００号、米国特許第８，２１０，６９５号、米国特許出願公開第２０１３／００５２４９７号、米国特許出願公開第２０１２／０３２７２３４号、米国仮特許出願第６１／７０９，７１６号、米国仮特許出願第６１／７０７，６７６号、及び、米国仮特許出願第６１／７０４，８６９号に記述されているような後方視認アセンブリと共に使用されうる。これら文献の開示内容は、当該参照によりその全体が本明細書に組み込まれる。更に、本開示は、米国特許第８，８８５，２４０号、米国特許第８，８１４，３７３号、米国特許第８，６４６，９２４号、米国特許第８，６４３，９３１号、米国特許第８，２６４，７６１号、米国仮特許出願第６１／７０７，５２５号、及び、米国仮特許出願第６１／５９０，２５９号に記述されているような後方視認パッケージアセンブリと共に使用されうる。これら文献の開示内容は、当該参照によりその全体が本明細書に組み込まれる。更に、本開示は、米国特許第８，８２７，５１７号、米国特許第８，２１０，６９５号、及び、米国特許第８，２０１，８００号に記述されているようなベゼルを含むことができることが意図されている。これら文献の開示内容は、当該参照によりその全体が本明細書に組み込まれる。
【００３４】
本明細書に記載される本開示の実施形態は、ある特定の非プロセッサ回路と併せて、本明細書に記載される表示ミラーアセンブリの機能のうちのいくつか、ほとんど、または全てを実装する一つ以上の従来のプロセッサ、ならびに、一つ以上のプロセッサを制御する固有の記憶されたプログラム命令、からなり得ることが理解されよう。非プロセッサ回路には、信号ドライバ、クロック回路、電源回路、及び／またはユーザ入力デバイスが含まれ得るが、これらに限定されない。そのようなものとして、これらの機能は、分類システムを使用または構築するのに用いられる方法の工程として解釈され得る。代替的に、いくつかまたは全ての機能は、記憶されたプログラム命令を有しない状態機械によって、または、各機能もしくは所定の機能のいくつかの組み合わせがカスタムロジックとして実装される一つ以上の特定用途向け集積回路（ＡＳＩＣ）において、実装されることが可能である。当然のことながら、これらの二つのアプローチの組み合わせを使用することが可能である。故に、これらの機能のための方法及び手段が本明細書に記載されてきた。更に、当業者であれば、例えば、利用可能な時間、現在の技術、及び経済的配慮によって動機付けられる、有意の努力及び多くの設計選択にもかかわらず、本明細書に開示される概念及び原理によって導かれるとき、最小限の実験をもってかかるソフトウェア命令及びプログラムならびにＩＣを容易に生成可能であろうことが予想される。
【００３５】
記述された開示及び他の構成要素の構築は、いなかる特定の材料にも限定されないことが、当業者によって理解されるだろう。本明細書に開示された発明の他の例示的な実施形態は、本明細書に別段の記載がある場合を除き、広範な材料から形成され得る。
【００３６】
本開示用に、用語「ｃｏｕｐｌｅｄ（結合された）」（ｃｏｕｐｌｅ，ｃｏｕｐｌｉｎｇ，ｃｏｕｐｌｅｄなどその形式のすべてにおいて）は、直接的であれ間接的であれ、互いに２つの構成要素（電気的または機械的）が接合することを概して意味する。このような接合は、本質的に静止状態かまたは本質的に可動状態であってもよい。このような接合は、２つの構成要素（電気的または機械的）、ならびに、互いとまたは２つの構成要素と１つの単体として一体成形される付加的中間部材で、達成されてもよい。このような接合は、本質的に永続的であってよいか、または、別段の記載がない限り、本質的に取外し可能つまり遊離可能であってもよい。
【００３７】
例示的な実施形態において示されるような本開示の要素の構築及び配置は、単に説明的であることに注意することも重要である。本発明の少数の実施形態だけが、本開示において詳細に記述されているが、本開示を検討する当業者は、列挙された主題の新規の教示及び利点から逸脱することなく、多くの修正が可能（例えば、さまざまな要素のサイズ、寸法、構造、形及び比率、パラメータ値、取り付け方法、材料の使用、色、向きなど）であることを容易に認識するだろう。例えば、一体成形として示される要素は、複数の部品が一体成形されてもよいように示される複数の部品または要素から構成されてもよく、インターフェースの操作が逆にまたは他の態様に変化されてもよく、システムの構造及び／または部材またはコネクタまたは他の要素の長さまたは幅が変化されてもよく、要素間に提供された調整位置の性質または個数が変化されてもよい。システムの要素及び／またはアセンブリは、任意の広範な色、質感、及び組合せにおいて、十分な強度または耐久性を提供する、任意の広範な材料から構成されてもよい。その結果、すべてのこのような修正は、本発明の範囲内に含まれるように意図される。他の代用、修正、変化、及び省略は、本発明の精神から逸脱することなく、所望の他の例示的な実施形態のデザイン、操作条件及び配置において、なされ得る。
【００３８】
いずれの説明されたプロセスまたは説明されたプロセス内のステップも、その他の開示されたプロセスまたはステップと組み合わされ、本開示の範囲内で構造を形成し得ることが理解されるであろう。本明細書に開示された例示的な構造及びプロセスは、説明のためのものであり、制限として解釈してはならない。
【００３９】
変形及び修正が、本開示の概念から逸脱することなく、前述の構造及び方法においてなされ得ることも理解されるべきであり、更に、このような概念は、特許請求の範囲がそれらの言葉で別段に明確に述べられていない限り、以下の特許請求の範囲に含まれるものとされることが理解されるべきである。
【図１】
2019531224.tif 000003
【図２】
2019531224.tif 000004
【図３】
2019531224.tif 000005
【国際調査報告】
2019531224.tif 000006
2019531224.tif 000007